(57)【要約】  情報処理方法及びその装置、通信システムである。該方法は、ユーザ装置が失敗の発生を検出した時に、失敗に関する情報を記憶し且つ既に記憶されている失敗に関する情報を保留することを含む。このように、ネットワーク側は、毎回失敗発生時の失敗に関する情報を得た時に、該情報に基づいてハンドオーバーパラメターに対して構成を行い、失敗の発生を抑えることができる。
2016530785.tif 000002
【特許請求の範囲】
【請求項１】
情報処理方法であって、
ユーザ装置が失敗の発生を検出した時に、失敗関連情報を記憶し且つ既に記憶されている失敗関連情報を保留することを含む、方法。
【請求項２】
請求項1に記載の方法であって、
前記失敗関連情報は、失敗発生時のサービングセル及び隣接セルの測定結果、ユーザ装置が使用する識別子、及び失敗発生原因のうちの一つ又は複数を含む、方法。
【請求項３】
請求項1又は2に記載の方法であって、
前記失敗は、インター無線アクセス技術のネットワーク間ハンドオーバーに関する、方法。
【請求項４】
請求項3に記載の方法であって、
前記失敗関連情報は、前記インター無線アクセス技術のネットワーク間ハンドオーバーの関連情報を含み、前記関連情報は、前記ユーザ装置が失敗発生前に所在するセルの情報及び／又はネットワークに再接続できた時に所在するセルの情報を含む、方法。
【請求項５】
請求項3に記載の方法であって、更に、
既に記憶されている失敗関連情報に、インター無線アクセス技術のネットワークハンドオーバーの関連情報が含まれていると確定し、及び／又は、現在の要記憶の失敗関連情報に、インター無線アクセス技術のネットワークハンドオーバーの関連情報が存在すると確定した時に、前記失敗関連情報を記憶することを含む、方法。
【請求項６】
請求項1又は3に記載の方法であって、
前記ユーザ装置がネットワークに再接続できた時に、ネットワーク側に指示情報を送信することを更に含み、
前記指示情報は、前記ユーザ装置が失敗関連情報を記憶していることを指示するために用いられ、そのうち、前記ユーザ装置が一回以上の失敗の前記失敗関連情報を記憶していることを指示し；又は、前記ユーザ装置が記憶している前記失敗関連情報の数量、且つ前記数量が1よりも大きいことを指示し；又は、前記ユーザ装置がインター無線アクセス技術のネットワーク間ハンドオーバーの関連情報を記憶していることを指示する、方法。
【請求項７】
請求項1に記載の方法であって、
ネットワーク側に前記失敗関連情報を報告することを更に含み、
前記ユーザ装置は、一回で全ての前記失敗関連情報を報告し；又は、
前記失敗関連情報を逐一報告し、そのうち、毎回前記失敗関連情報を報告する時に、未報告の前記失敗関連情報が更に存在すれば、前記ユーザ装置が未報告の前記失敗関連情報を更に有することを指示するための第一指示情報をネットワーク側に報告し；又は、
所定の数量に基づいて前記失敗関連情報を報告し、そのうち、所定数量の前記失敗関連情報を報告する時に、未報告の前記失敗関連情報が更に存在すれば、前記ユーザ装置が未報告の前記失敗関連情報を更に有することを指示するための第二指示情報をネットワーク側に報告する、方法。
【請求項８】
請求項7に記載の方法であって、
ネットワーク側に前記第一指示情報又は第二指示情報を送信した後に、ネットワーク側からの要求に基づいて前記未報告の前記失敗関連情報を送信することを更に含む、方法。
【請求項９】
請求項7に記載の方法であって、
報告済みの前記失敗関連情報を削除することを更に含む、方法。
【請求項１０】
情報処理方法であって、
ユーザ装置が報告した、前記ユーザ装置が失敗関連情報を記憶していることを指示するための指示情報を受信し、そのうち、前記指示情報は、前記ユーザ装置が一回以上の失敗の失敗関連情報を記憶していることを指示するために用いられ；又は、前記ユーザ装置が記憶している失敗関連情報の数量、且つ前記数量1がよりも大きいことを指示するために用いられ；又は、前記ユーザ装置がインター無線アクセス技術のネットワーク間ハンドオーバーの関連情報を記憶していることを指示するために用いられ；又は、
ユーザ装置が一回で報告した一回以上の失敗の失敗関連情報を受信し；又は、
ユーザ装置が報告した一回又は所定数回の失敗の失敗関連情報、及び、前記ユーザ装置が未報告の前記失敗関連情報を更に記憶していることを指示するための第一指示情報又は第二指示情報を受信することを含む、方法。
【請求項１１】
請求項10に記載の方法であって、
前記第一指示情報又は第二指示情報を受信した後に、前記ユーザ装置へ前記ユーザ装置が未報告の前記失敗関連情報を報告するように指示するための要求を送信することを更に含む、方法。
【請求項１２】
情報処理装置であって、前記方法は、
ユーザ装置が失敗の発生を検出した時に、失敗関連情報を記憶し且つ既に記憶されている失敗関連情報を保留するための第一情報処理ユニットを含む、装置。
【請求項１３】
請求項12に記載の装置であって、
確定ユニットを更に含み、
前記確定ユニットは、既に記憶されている失敗関連情報に、インター無線アクセス技術のネットワークハンドオーバーの関連情報が含まれているかを確定し、及び／又は、現在の要記憶の失敗関連情報に、インター無線アクセス技術のネットワークハンドオーバーの関連情報が存在するかを確定するために用いられ、
前記確定ユニットの確定結果が「はい」である時に、前記第一情報処理ユニットは、前記失敗関連情報を記憶する、装置。
【請求項１４】
請求項12に記載の装置であって、
第一送信ユニットを更に含み、前記第一送信ユニットは、前記ユーザ装置がネットワークに再接続できた時に、ネットワーク側に指示情報を送信するために用いられ、
前記指示情報は、前記ユーザ装置が一回以上の失敗の失敗関連情報を記憶していることを指示するために用いられ；又は、前記ユーザ装置が記憶している前記失敗関連情報の数量、且つ前記数量が1よりも大きいことを指示するために用いられ；又は、前記ユーザ装置がインター無線アクセス技術のネットワーク間ハンドオーバーの関連情報を記憶していることを指示するために用いられる、装置。
【請求項１５】
請求項12に記載の装置であって、
ネットワーク側に前記失敗関連情報を送信するための報告ユニットを更に含み、
前記報告ユニットは、一回で全ての前記失敗関連情報を報告し；又は、
前記失敗関連情報を逐一報告し、そのうち、毎回前記失敗関連情報を報告する時に、未報告の前記失敗関連情報が更に存在すれば、前記ユーザ装置が未報告の前記失敗関連情報を更に有することを指示するための第一指示情報をネットワーク側に報告し；又は、
所定の数量に基づいて前記失敗関連情報を報告し、そのうち、所定数量の前記失敗関連情報を報告する時に、未報告の前記失敗関連情報が存在すれば、前記ユーザ装置が未報告の前記失敗関連情報を更に有することを指示するための第二指示情報をネットワーク側に報告する、装置。
【請求項１６】
請求項15に記載の装置であって、
前記報告ユニットは、ネットワーク側に前記第一指示情報又は第二指示情報を送信した後に、ネットワーク側からの要求に基づいて前記未報告の前記失敗関連情報を送信する、装置。
【請求項１７】
請求項15に記載の装置であって、
報告済みの前記失敗関連情報を削除するための第二情報処理ユニットを更に含む、装置。
【請求項１８】
情報処理装置であって、
情報受信ユニットを含み、前記情報受信ユニットは、
ユーザ装置が報告した、前記ユーザ装置が失敗関連情報を記憶していることを指示するための指示情報を受信するために用いられ、前記指示情報は、前記ユーザ装置が一回以上の失敗の失敗関連情報を記憶していることを指示するために用いられ；又は、前記ユーザ装置が記憶している失敗関連情報の数量、且つ前記数量が1よりも大きいことを指示するために用いられ；又は、前記ユーザ装置がインター無線アクセス技術のネットワーク間ハンドオーバーの関連情報を記憶していることを指示するために用いられ；又は、
ユーザ装置が一回で報告した一回以上の失敗の失敗関連情報を受信し；又は、
ユーザ装置が報告した一回又は所定数回の失敗の失敗関連情報、及び、前記ユーザ装置が未報告の前記失敗関連情報を更に有することを指示するための第一指示情報又は第二指示情報を受信する、装置。
【請求項１９】
請求項18に記載の装置であって、
前記第一指示情報又は第二指示情報を受信した後に、前記ユーザ装置へ前記ユーザ装置が未報告の前記失敗関連情報を報告するように指示するための要求を送信するための情報送信ユニットを更に含む、装置。
【請求項２０】
請求項12〜17の任意の１項に記載の装置を含む、ユーザ装置。
【請求項２１】
請求項18又は19に記載の装置を含む、基地局。
【請求項２２】
基地局を含むネットワークシステムであって、
ユーザ装置を更に含み、前記ユーザ装置は、失敗の発生を検出した時に、失敗関連情報を記憶し且つ既に記憶されている失敗関連情報を保留する、ネットワークシステム。
【請求項２３】
コンピュータ可読プログラムであって、
情報処理装置又はユーザ装置中で前記プログラムを実行する時に、前記プログラムは、コンピュータに、前記情報処理装置又はユーザ装置中で請求項1〜9の任意の１項に記載の情報処理方法を実行させるための、プログラム。
【請求項２４】
コンピュータ可読プログラムを記憶した記憶媒体であって、
前記コンピュータ可読プログラムは、コンピュータに、情報処理装置又はユーザ装置中で、請求項1〜9の任意の１項に記載の情報処理方法を実行させる、記憶媒体。
【請求項２５】
コンピュータ可読プログラムであって、
情報処理装置又は基地局中で前記プログラムを実行する時に、前記プログラムは、コンピュータに、前記情報処理装置又は基地局中で請求項10又は11に記載の情報処理方法を実行させるための、プログラム。
【請求項２６】
コンピュータ可読プログラムを記憶した記憶媒体であって、
前記コンピュータ可読プログラムは、コンピュータに、情報処理装置又は基地局中で請求項10又は11に記載の情報処理方法を実行させる、記憶媒体。
【発明の詳細な説明】
【技術分野】
【０００１】
本発明は、通信分野に関し、特に、情報処理方法及びその装置、通信システムに関する。
【背景技術】
【０００２】
Rel.11のLTE-Aネットワークでは、不正確なハンドオーバーパラメターの設定によって、端末装置がインター無線アクセス技術のネットワーク間（inter-RAT）でハンドオーバーする時に、無線リンク失敗（RLF、Radio  Link  Failure）又はハンドオーバー失敗（HOF、Handover  Failure）を含む失敗を引き起こすことがあり、これにより、ハンドオーバーが遅すぎる又はハンドオーバーが速すぎるような誤りが生じるおそれがある。
【０００３】
なお、上述の背景技術についての紹介は、本発明の技術案を明確且つ完全に説明し、当業者がそれを理解しやすいためのものである。これらの案は、本発明の背景技術の部分に記述されているため、当業者にとって周知であると解釈すべきではない。
【発明の概要】
【発明が解決しようとする課題】
【０００４】
従来のメカニズムでは、生じた上述のような失敗を解決するために、端末装置は、該失敗に関する情報を記憶し、また、該情報をネットワーク側に報告することができる。新しいRLF又はHOFを検出した時に、端末側で記憶されているRLF又はHOF情報が、新しく検出されたRLF又はHOF情報によってカバーされ、これにより、ネットワーク側は、各端末装置が経験する毎回のRLF又はHOFの情報を得ることができなくなる。
【０００５】
本発明の実施例では、情報処理方法及びその装置、通信システムが提供され、ユーザ装置は、毎回失敗発生時における失敗に関する情報を記憶することができ、これにより、ネットワーク側は、該情報に基づいて、ハンドオーバーパラメターに対して構成を行い、失敗の発生を抑えることができる。
【課題を解決するための手段】
【０００６】
本発明の実施例の第一側面によれば、情報処理方法が提供され、該方法は、
ユーザ装置が失敗の発生を検出した時に、失敗に関する情報（失敗関連情報とも言う）を記憶し且つ既に記憶されている失敗に関する情報を保留することを含む。
【０００７】
本発明の実施例の第二側面によれば、情報処理方法が提供され、該方法は、
ユーザ装置により報告された、前記ユーザ装置が失敗に関する情報を記憶していることを指示するための指示情報を受信し、そのうち、該指示情報は、該ユーザ装置が一回以上の失敗の失敗に関する情報を記憶していることを指示するために用いられ；又は、該ユーザ装置が記憶している失敗に関する情報の数量、且つ該数量が1よりも大きいことを指示するために用いられ；又は、該ユーザ装置がインター無線アクセス技術のネットワーク間ハンドオーバーに関連する情報を記憶していることを指示するために用いられ；或いは、
ユーザ装置により一回で報告された一回以上の失敗の失敗に関する情報を受信し；或いは、
ユーザ装置により報告された一回の失敗又は所定数回の失敗の失敗に関する情報、及び、該ユーザ装置が未報告の失敗に関する情報を更に記憶していることを指示するための第一指示情報又は第二指示情報を受信することを含む。
【０００８】
本発明の実施例の第三側面によれば、情報処理装置が提供され、それは、
ユーザ装置が失敗の発生を検出した時に、失敗に関する情報を記憶し且つ既に記憶されている失敗に関する情報を保留するための第一情報処理ユニットを含む。
【０００９】
本発明の実施例の第四側面によれば、情報処理装置が提供され、該装置は、
情報受信ユニットを含み、該情報受信ユニットは、
ユーザ装置により報告された、該ユーザ装置が失敗に関する情報を記憶していることを指示するための指示情報を受信し、そのうち、該指示情報は、該ユーザ装置が一回以上の失敗の失敗に関する情報を記憶していることを指示するために用いられ；又は、該ユーザ装置が記憶している失敗に関する情報の数量、且つ該数量1がよりも大きいことを指示するために用いられ；又は、該ユーザ装置がインター無線アクセス技術のネットワーク間ハンドオーバーに関連する情報を記憶していることを指示するために用いられ；或いは、
ユーザ装置により一回で報告された一回以上の失敗の失敗に関する情報を受信し；或いは、
ユーザ装置により報告された一回の失敗又は所定数回の失敗の失敗に関する情報、及び、該ユーザ装置が未報告の失敗に関する情報を有することを指示するための第一指示情報又は第二指示情報を受信するために用いられる。
【００１０】
本発明の実施例の第五側面によれば、ユーザ装置が提供され、それは、本発明の実施例の第三側面に記載の装置を含む。
【００１１】
本発明の実施例の第六側面によれば、基地局が提供され、それは、本発明の実施例の第四側面に記載の装置を含む。
【００１２】
本発明の実施例の第七側面によれば、ネットワークシステムが提供され、それは、基地局を含み、そのうち、前記システムは更にユーザ装置を含み、該ユーザ装置は、失敗の発生を検出した時に、失敗に関する情報を記憶し且つ既に記憶されている失敗に関する情報を保留する。
【００１３】
本発明の実施例の第八側面によれば、コンピュータ可読プログラムが提供され、そのうち、情報処理装置又はユーザ装置中で前記プログラムを実行する時に、前記プログラムは、コンピュータに、前記情報処理装置又はユーザ装置中で本発明の実施例の第一側面に記載の情報処理方法を実行させる。
【００１４】
本発明の実施例の第九側面によれば、コンピュータ可読プログラムを記憶した記憶媒体が提供され、そのうち、前記コンピュータ可読プログラムは、コンピュータに、情報処理装置又はユーザ装置中で本発明の実施例の第一側面に記載の情報処理方法を実行させる。
【００１５】
本発明の実施例の第十側面によれば、コンピュータ可読プログラムが提供され、そのうち、情報処理装置又は基地局中で前記プログラムを実行する時に、前記プログラムは、コンピュータに、前記情報処理装置又は基地局中で本発明の実施例の第二側面に記載の情報処理方法を実行させる。
【００１６】
本発明の実施例の第十一側面によれば、コンピュータ可読プログラムを記憶した記憶媒体が提供され、そのうち、前記コンピュータ可読プログラムは、コンピュータに、情報処理装置又は基地局中で本発明の実施例の第二側面に記載の情報処理方法を実行させる。
【００１７】
本発明の実施例の有益な効果は、ユーザ装置が毎回失敗発生時における失敗に関する情報を記憶することができ、該情報をネットワーク側に通知した時に、該ネットワーク側は、取得した毎回失敗発生時における失敗に関する情報に基づいてハンドオーバーパラメターに対して構成を行い、失敗の発生を抑えることができる。
【００１８】
後述の説明及び図面を参照することで、本発明の特定の実施形態を詳しく開示しており、本発明の原理を採用し得る態様を示している。なお、本発明の実施形態は、範囲上ではこれによって限定されない。添付した特許請求の範囲内であれば、本発明の実施形態は、様々な変更、修正及び代替によるものを含んでも良い。
【００１９】
また、１つの実施形態について説明した及び／又は示した特徴は、同じ又は類似した方式で１つ又は複数の他の実施形態に用い、他の実施形態中の特徴と組み合わせ、又は、他の実施形態中の特徴を置換することもできる。
【００２０】
なお、「含む／有する」のような用語は、本明細書に使用される時に、特徴、要素、ステップ、又は、アセンブルの存在を指すが、１つ又は複数の他の特徴、要素、ステップ、又は、アセンブリの存在又は付加を排除しないということも指す。
【図面の簡単な説明】
【００２１】
含まれている図面は、本発明の実施例への更なる理解を提供するために用いられ、これらの図面は、本明細書の一部を構成しており、本発明の実施形態を例示し、文字記載と一緒に本発明の原理を説明するために用いられる。また、明らかのように、次の記載における図面は、本発明の幾つかの実施例を示すためのものに過ぎず、当業者は、創造性のある労働をしない前提で、これらの図面に基づいて他の図面を得ることもできる。
【図１】ユーザ装置が失敗を経験するシナリオを示す図である。
【図２】本発明の実施例3における情報処理方法のフローチャートである。
【図３】本発明の実施例4における情報処理方法のフローチャートである。
【図４】本発明の実施例5における情報処理方法のフローチャートである。
【図５】本発明の実施例6における情報処理装置の構成を示す図である。
【図６】本発明の実施例7における情報処理装置の構成を示す図である。
【図７】本発明の実施例におけるユーザ装置の構成を示す図である。
【図８】本発明の実施例における基地局の構成を示す図である。
【発明を実施するための形態】
【００２２】
以下、図面を参照しながら、本発明の各種の実施形態について説明する。なお、これらの実施形態は例示するためのものに過ぎず、本発明を限定するものではない。
【実施例１】
【００２３】
本発明の実施例1は情報処理方法を提供する。該方法は、ユーザ装置が失敗の発生を検出した時に、失敗に関する情報（失敗関連情報とも言う）を記憶し、且つ既に記憶されている失敗に関する情報を保留する。
【００２４】
このように、該ユーザ装置は、毎回の失敗の失敗に関する情報を記憶することができ、該ユーザ装置で一回以上の失敗が発生した時に、該ユーザ装置は、それぞれ、該一回以上の失敗に対応する失敗に関する情報を記憶することができ、これにより、ネットワーク側は、上述の失敗に関する情報を得た時に、該情報に基づいてハンドオーバーパラメターに対して構成を行い、失敗の発生を抑えることができる。
【００２５】
本実施例では、上述の失敗は、無線リンク失敗（RLF）又はハンドオーバー失敗（HOF）を含んでも良く、失敗（RLF又はHOF）に関する情報は、VarRLF-Report（TS36.331  v11.3.0を参照）における情報、例えば、失敗（例えばRLF又はHOF）発生時におけるサービングセル及び隣接セルの測定結果、端末が使用する識別子、RLFの発生原因などの情報を含んでも良く、ここでは列挙しない。
【００２６】
本実施例では、上述の失敗は、異なる無線アクセスのネットワーク間（inter-RAT）のハンドオーバーに関するものである。即ち、失敗（RLF又はHOF）に関する情報は、インター無線アクセス技術のネットワーク間（inter-RAT）のハンドオーバーの関連情報、例えば、失敗前に該ユーザ装置が所在するUTRA（Universal  Terrestrial  Radio  Access）セルの情報、即ち、previousUTRA-CellId-r11（TS36.331  v11.3.0を参照）、及び／又は、ネットワークに再接続される時に所在するUTRAセルの情報、即ち、 selectedUTRA-CellId-r11（TS36.331  v11.3.0を参照）を含んでも良い。このような場合、該ユーザ装置は、該情報を記憶し、且つ既に記憶されている、インター無線アクセス技術のネットワーク間ハンドオーバーに関する失敗（RLF又はHOF）の関連情報を保留することができる。
【００２７】
図1は、ユーザ装置が失敗を経験するシナリオを示す図である。以下、図1に示すシナリオを例として説明を行う。
【００２８】
図1に示すように、セル1（Cell  1）とセル3（Cell  3）は、E-UTRA（Evolved  Universal  Terrestrial  Radio  Access）ネットワーク（LTEネットワーク）であり、セル2は、UTRANネットワーク（3Gネットワーク）であり、即ち、セル1及びセル3と、セル2とは、異なる無線アクセスネットワークである。
【００２９】
ユーザ装置がセル1（cell  1）からセル2（cell  2）にハンドオーバーする時に失敗が発生し、即ち、ハンドオーバー過程で無線リンク失敗（RLF  1）が発生し、又は、ハンドオーバー前にセル1内で失敗(RLF  1)、例えば、インター無線アクセス技術のネットワーク間ハンドオーバーが遅すぎる又はハンドオーバーが速すぎるような失敗が発生したとき、該ユーザ装置がセル2に再接続された後に、セル2からセル3へのハンドオーバー時に失敗が発生し、例えば、ハンドオーバー過程で無線リンク失敗（RLF  2）が発生し、又は、セル3にハンドオーバーした後に比較的短い時間内で失敗（RLF  2）が発生したとする。従来のメカニズムでは、該ユーザ装置がRLF  2に関する情報を以て元のRLF  1に関する情報を置換するため、ネットワーク側は、毎回の失敗の情報を得ることができない。しかし、本発明の実施例では、RLF  2に関する情報を記憶し、且つその同時に、RLF  1に関する情報も保留する。このように、ネットワーク側では、毎回失敗発生時における失敗に関する情報を得た時に、該情報に基づいてハンドオーバーパラメターに対して構成を行い、失敗の発生を抑えることができる。
【００３０】
本実施例では、失敗発生時に、該ユーザ装置は、既に記憶されている失敗に関する情報に、インター無線アクセス技術のネットワークハンドオーバーに関する情報が含まれていると確定し、及び／又は、現在の要記憶（即ち、記憶する必要がある）の失敗に関する情報に、インター無線アクセス技術のネットワークハンドオーバーに関する情報が存在すると確定した時に、該失敗に関する情報を記憶する。このように、記憶空間を節約することができる。
【００３１】
本実施例では、該ユーザ装置がネットワークに再接続された時に、該ユーザ装置は、ネットワーク側に、該ユーザ装置が失敗に関する情報を記憶していることを指示するための指示情報を送信することができ、このように、ネットワーク側は、該ユーザ装置が接続失敗に関する情報を記憶していることを知ることができる。これにより、ネットワーク側からユーザ装置が失敗に関する情報を報告するように要求することをトリガーすることができる。
【００３２】
例えば、該指示情報は、ユーザ装置が一回の失敗に関する情報を記憶していることを指示するために用いられ、又は、ユーザ装置が一回以上の失敗の失敗に関する情報を記憶していることを指示するために用いられ；或いは、
ユーザ装置が記憶している失敗に関する情報の数量、且つ該数量が1よりも大きいことを指示するために用いられ、該数量は失敗の回数と同じであり；或いは、
ユーザ装置がインター無線アクセス技術のネットワーク間ハンドオーバーの関連情報を記憶していることを指示するために用いられる。
【００３３】
本実施例では、該ユーザ装置がネットワークに再接続された時に、例えば、セル1〜3の任意の一つに再接続された時に、或いは、他の図示されないセルに接続された時に、該ユーザ装置は更にネットワーク側へ上述の失敗に関する情報を報告することができ、これにより、ネットワーク側は、報告された該情報に基づいてパラメターの構成を行うことができる。そのうち、再接続されたセルは、LTEネットワーク（例えばE-UTRAN）であっても良く、他のネットワーク、例えば、3Gネットワーク(例えばUTRAN)であっても良い。
【００３４】
本実施例では、任意の方式で該情報を報告することができ、以下、例を挙げて説明を行う。
【００３５】
1）方式1
一回で、記憶されている全ての失敗に関する情報を報告し、即ち、全ての失敗に対応する失敗に関する情報を報告する。
【００３６】
2）方式2
失敗に関する情報を逐一（即ち、一つずつ）報告し、即ち、毎回、一回の失敗の失敗に関する情報を報告し、且つ、毎回失敗に関する情報を報告する時に、未報告の失敗に関する情報が更に存在した場合、該ユーザ装置が未報告の該失敗に関する情報を更に有することを指示するための第一指示情報をネットワーク側に報告する。
【００３７】
3）方式3
該ユーザ装置が、所定の数量に基づいて失敗に関する情報を報告し、即ち、毎回、所定数量の失敗の失敗に関する情報を報告し；そのうち、所定数量の失敗に関する情報を報告する時に、未報告の失敗に関する情報が存在した場合、該ユーザ装置が未報告の失敗に関する情報を更に有することを指示するための第二指示情報をネットワーク側に報告する。
【００３８】
本実施例では、該ユーザ装置がネットワーク側に該第一指示情報又は第二指示情報を送信した後に、該ユーザ装置は、ネットワーク側から該第一指示情報又は第二指示情報に基づいて返された要求（リクエスト）に基づいて、ネットワーク側に未報告の失敗に関する情報を報告することができる。
【００３９】
未報告の失敗に関する情報については、任意の方式で送信しても良く、例えば、上述の方式1〜方式3のうちの任意の一つの方式を採用して送信しても良く、ここではその詳しい説明を省略する。
【００４０】
本実施例では、該ユーザ装置は、報告済みの情報を削除し、記憶空間を節約することができる。
【００４１】
上述の実施例から分かるように、ユーザ装置が毎回の失敗の失敗に関する情報を記憶しているので、該ユーザ装置が該情報をネットワーク側に報告した後に、ネットワーク側は、該ユーザ装置により報告された情報に基づいてハンドオーバーパラメターの構成を行い、失敗の発生を抑えることができる。
【実施例２】
【００４２】
本発明の実施例は情報処理方法を提供し、該方法は、
ユーザ装置により報告された、該ユーザ装置が失敗に関する情報を記憶していることを指示するための指示情報を受信し、該指示情報は、ユーザ装置が一回の失敗に関する情報を記憶していることを指示するために用いられ；又は、ユーザ装置が一回以上の失敗の失敗に関する情報を記憶していることを指示するために用いられ；又は、ユーザ装置が記憶している失敗に関する情報の数量、且つ該数量が1よりも大きいことを指示するために用いられ、該数量は失敗の回数と同じであり；又は、ユーザ装置がインター無線アクセス技術のネットワーク間ハンドオーバーの関連情報を記憶していることを指示するために用いられ；及び／又は、
ユーザ装置により一回で報告された一回以上の失敗の失敗に関する情報を受信し；又は、ユーザ装置により報告された一回の失敗又は所定数回の失敗の失敗に関する情報、及び、該ユーザ装置が未報告の失敗に関する情報を更に有することを指示するための第一指示情報又は第二指示情報を受信することを含む。
【００４３】
上述の実施例から分かるように、ネットワーク側は、ユーザ装置の毎回失敗発生時における関連情報を得ることができ、これにより、ネットワーク側は、該関連情報に基づいてパラメターの構成を行い、失敗の発生を抑えることができる。
【００４４】
また、本実施例では、ネットワーク側は、該第一指示情報又は第二指示情報を受信した後に、該ユーザ装置に、該ユーザ装置が未報告の失敗に関する情報を報告するように指示するための要求を送信し、また、更に該ユーザ装置が該要求に基づいて返した失敗に関する情報を受信することができる。
【００４５】
本実施例では、失敗に関する情報は実施例1と同様であるため、ここではその詳しい説明を省略する。
【００４６】
以下、図1に示すシナリオを例として、本発明の実施例における情報処理方法について説明を行う。
【実施例３】
【００４７】
図2は、本発明の実施例3における情報処理方法のフローチャートである。図2に示すように、該方法は、次のようなステップを含む。
【００４８】
ステップ201：ユーザ装置が、インター無線アクセス技術のネットワーク間でハンドオーバーする時に失敗の発生を検出した時に、失敗に関する情報を記憶し；
本実施例では、例えば、UEがセル1からセル2にハンドオーバーする時に失敗が発生したとし、図1に示すように、該セル1及びセル2がインター無線アクセス技術を採用し、該UEは、インター無線アクセス技術のネットワーク間でハンドオーバーする時に失敗が発生し；そのうち、失敗を引き起こす原因は、ハンドオーバー前にセル1内でRLFが発生した、又は、セル1からセル2へのハンドオーバー過程でHOFが発生したことを含んでも良く、これは従来技術と同様であるため、ここではその詳しい説明を省略する。
【００４９】
また、失敗に関する情報は、実施例1に記載のように、VarRLF-Reportにおける情報、及び／又は、インター無線アクセス技術のネットワーク間（inter-RAT）のハンドオーバーの関連情報を含んでも良く、ここではその詳しい説明を省略する。
【００５０】
ステップ202：該UEが、再びネットワークに接続され；
例えば、該UEは、セル2に再接続され、eNB2と接続を確立するようになる。
【００５１】
ステップ203：該UEが、ネットワーク側から送信されたハンドオーバー要求を受信し；
そのうち、該UEは、サービングセルcell2の基地局、例えば、eNB2が送信したハンドオーバー（Handover）要求を受信し、該要求は、UEがセル2からセル3にハンドオーバーするように指示し、そのうち、該セル3と、該セル2とは、インター無線アクセス技術を採用する。
【００５２】
ステップ204：該UEが該ハンドオーバー要求を受信した後に、所定時間内でハンドオーバーが完成しないため、ハンドオーバー失敗を引き起こし、又は、ハンドオーバーが完成した後に間もなく無線リンク失敗（RLF）が発生した。
【００５３】
ステップ205：該UEが失敗の発生を検出した時に、該UEは、今回の失敗に関する情報を記憶し、また、既に記憶されている失敗に関する情報を更に保留する。
【００５４】
図1に示すシナリオの下で、失敗が２回発生しており、この場合、該UEは、この２回の失敗の情報を記憶することができ、これに基づいて類推すれば、失敗が複数回発生した場合、該UEは、複数回の失敗の情報を記憶することができ、ここではその詳しい説明を省略する。
【００５５】
ステップ206：該UEがネットワークに再接続された時にネットワーク側に指示情報を送信し；
そのうち、例えば、セル1に再接続された場合、該UEは、該eNB1に該指示情報を送信することができ、該指示情報は、ユーザ装置が失敗に関する情報を記憶していることを指示するために用いられ；
例えば、該指示情報は、該ユーザ装置が一回の失敗の失敗に関する情報を記憶していることを指示することができ；又は、該ユーザ装置が一回以上の失敗の失敗に関する情報を記憶していることを指示することができ；又は、該ユーザ装置が記憶している失敗に関する情報の数量、且つ該数量が1以上であることを指示することができ；
失敗に関する情報の数量を送信する時に、各々の失敗に関する情報は一回の失敗に対応し、即ち、該数量は失敗の回数に対応する。
【００５６】
本実施例では、該ユーザ装置は、従来のRRC（Radio  Resource  Control）メッセージ、例えば、RRC接続再構成完成（RRCConnectionReconfigurationComplete）メッセージ、RRC接続再確立完成（RRCConnectionReestablishmentComplete）メッセージ、RRC接続セットアップ完成（RRCConnectionSetupComplete）メッセージ（TS36.331  v11.3.0を参照）によって、ネットワーク側に指示情報を送信しても良いが、上述のメッセージに限定されず、他の任意の既存又は新しいメッセージによって該指示情報を送信してもよい。
【００５７】
また、該ユーザ装置は更にセル2又はセル3に再接続されも良く、又は、図示せずの他のセルに再接続され、該他のセルの基地局に該指示情報を送信しても良く、該他のセルは、該セル1の無線アクセス技術と同じであるセルであっても良く、該セル1又はセル3の無線アクセス技術と異なるセルであっても良く、ここではその詳しい説明を省略する。
【００５８】
ステップ207：該セル1の基地局（eNB1）が、該指示情報を受信した後に、該ユーザ装置へ失敗に関する情報を報告するための要求を送信する。
【００５９】
ステップ208：該UEが該要求を受信した後に、ネットワーク側へ記憶されている失敗に関する情報を報告することができ；
本実施例では、実施例1に記載の方式1を採用して該情報を報告する時に、記憶されている全ての失敗の失敗に関する情報を一回でネットワーク側に報告しても良い。
【００６０】
ステップ209：記憶されている報告済みの失敗に関する情報を削除する。
【００６１】
上述の実施例では、ステップ206、207は選択可能なステップであり、該ユーザ装置は、再接続できた後に、その記憶されている失敗に関する情報をネットワーク側に直接報告しても良い。
【実施例４】
【００６２】
図3は、本発明の実施例4における情報処理方法のフローチャートである。図3に示すように、該方法は、次のようなステップを含む。
【００６３】
ステップ301〜307、309：実施例3のステップ201〜207、209と同様であるため、ここではその詳しい説明を省略する。
【００６４】
実施例3との相違点は、本実施例では、該ユーザ装置が実施例1に記載の方式2を採用して該情報を報告し、即ち、失敗に関する情報を逐一報告し、即ち、毎回、一回の失敗の失敗に関する情報を報告することにあり、なお、報告の順序について限定せず、例えば、任意の順序に従って報告しても良く、また、時間の順序に従って報告しても良く、ここでは列挙せず；このように、該情報を報告する時に、次のようなステップを含む。
【００６５】
ステップ308a：該ユーザ装置が、一回の失敗の失敗に関する情報を報告し；
このような場合、該ユーザ装置が未報告の失敗に関する情報を更に有するので、該ユーザ装置は更に、該ユーザ装置が未報告の失敗に関する情報を更に有することを指示するための第一指示情報を送信する必要があり；
上述の失敗に関する情報及び該第一指示情報をそれぞれネットワーク側に送信しても良く、また、上述の情報を一緒にネットワーク側に送信しても良く、なお、本実施例では、該第一指示情報と、該一回の失敗の失敗に関する情報とは、一緒にネットワーク側に送信される。
【００６６】
ステップ308b：ネットワーク側（例えばeNB1）は、該ユーザ装置により報告された、一回の失敗の失敗に関する情報及び第一指示情報を受信し、該ユーザ装置がその記憶されている未報告の失敗に関する情報を報告する必要があると確定した時に、該ネットワーク側は、該ユーザ装置に要求メッセージを送信し、該ユーザ装置がその記憶されている未報告の失敗に関する情報を報告するように指示する。
【００６７】
ステップ308c：該ユーザ装置が、該要求メッセージに基づいて、ネットワーク側に該未報告の失敗に関する情報を送信し；そのうち、任意の方式で報告しても良く、例えば、未報告の失敗に関する情報を全てネットワーク側に送信しても良く；又は、逐一送信しても良く；又は、予め構成された所定の数量で報告しても良く、後述の実施例に説明するようであるので、ここではその詳しい説明を省略する。
【００６８】
上述の実施例では、ステップ306、307は選択可能なステップであり、該ユーザ装置は、再接続できた後に、記憶されている失敗に関する情報をネットワーク側に直接報告しても良い。また、該第一指示情報の送信及びステップ308bを省略しても良く、この場合、ユーザ装置によりネットワーク側に直接送信されても良く、即ち、ネットワーク側から送信された要求に基づいて送信する必要がない。
【実施例５】
【００６９】
図4は、本発明の実施例5における情報処理方法のフローチャートである。図4に示すように、該方法は、次のようなステップを含む。
【００７０】
ステップ401〜407、409：実施例3、4のステップ201〜207、209、301〜307、309と同様であるため、ここではその詳しい説明を省略する。
【００７１】
実施例3、4との相違点は、本実施例では、該ユーザ装置が実施例1に記載の方式3を採用して該情報を報告し、即ち、予め構成された所定の数量で報告を行うことにあり、このように、該情報を報告する時に、次のようなステップを含む。
【００７２】
ステップ408：該ユーザ装置が、所定数量の失敗に関する情報を報告し；
このような場合、該数量は失敗の回数に対応し、ネットワーク側で予め構成され、ユーザ装置に通知されても良い。例えば、ネットワーク側で構成された該数量は2であり、即ち、一回で、2回の失敗の失敗に関する情報を報告し；
本実施例では、該ユーザ装置が2回の失敗の失敗に関する情報、即ち、RLF  1及びRLF  2に関する情報を記憶しており、このように、ネットワーク側で構成された数量の2に基づいて、一回でネットワーク側に報告する。このように、該ユーザ装置は、未報告の失敗に関する情報を有しないので、ネットワーク側に第二指示情報を送信する必要がなく；
該ユーザ装置が未報告の失敗に関する情報を更に有する場合、該ユーザ装置は、該ユーザ装置が未報告の失敗に関する情報を更に有することを指示するための第二指示情報を報告する必要があり、このような場合、実施例4と同様に、上述の失敗に関する情報及び該第二指示情報は、それぞれネットワーク側に送信されても良く、また、一緒にネットワーク側に送信されても良い。
【実施例６】
【００７３】
図5は、本発明の実施例6における情報処理装置の構成を示す図である。図5に示すように、装置500は、第一情報処理ユニット501を含み、第一情報処理ユニット501は、ユーザ装置が失敗の発生を検出した時に、失敗に関する情報を記憶し且つ既に記憶されている失敗に関する情報を保留するために用いられる。
【００７４】
本実施例から分かるように、ユーザ装置で失敗が発生した時に、毎回失敗時における失敗に関する情報を記憶することができ、このように、ネットワーク側のためにより多くの情報を提供することができ、これにより、ネットワーク側は、該情報に基づいてハンドオーバーパラメターの構成を行い、失敗の発生を抑えることができる。
【００７５】
本実施例では、ユーザ装置は、ネットワークに再接続できた後に、更に、記憶されている上述の情報、及び、このような場合を指示するための指示情報をネットワーク側に報告することができる。
【００７６】
図5に示すように、装置500は更に第一送信ユニット502を含み、第一送信ユニット502は、該ユーザ装置がネットワークに再接続できた時に、ネットワーク側に指示情報を送信するために用いられ、該指示情報は、該ユーザ装置が失敗に関する情報を記憶していることを指示するために用いられ、そのうち、該ユーザ装置が一回の失敗の失敗に関する情報を記憶していることを指示し；又は、該ユーザ装置が一回以上の失敗の失敗に関する情報を記憶していることを指示し；又は、該ユーザ装置が記憶している該失敗に関する情報の数量、且つ該数量が1以上であることを指示し；又は、該ユーザ装置がインター無線アクセス技術のネットワーク間ハンドオーバーの関連情報を記憶していることを指示する。
【００７７】
本実施例では、更に、記憶されている上述の情報をネットワーク側に送信しても良く、これにより、ネットワーク側は、上述の情報を得た後に、上述の情報に基づいてハンドオーバーパラメターの構成を行い、失敗の発生を抑えることができる。
【００７８】
図5に示すように、装置500は更に報告ユニット503を含み、報告ユニット503は、ネットワーク側へ失敗に関する情報を報告するために用いられる。
【００７９】
本実施例では、報告ユニット503が失敗に関する情報を報告する報告方式は実施例1と同様であり、即ち、一回で全ての失敗に関する情報を報告し；又は、失敗に関する情報を逐一報告し；そのうち、毎回失敗に関する情報を報告する時に、未報告の失敗に関する情報があれば、該ユーザ装置が未報告の失敗に関する情報を更に有することを指示するための第一指示情報をネットワーク側に報告し；又は、所定の数量に基づいて失敗に関する情報を報告し；そのうち、所定数量の失敗に関する情報を報告する時に、未報告の失敗に関する情報が存在すれば、該ユーザ装置が未報告の失敗に関する情報を更に有することを指示するための第二指示情報をネットワーク側に報告する。
【００８０】
本実施例では、報告ユニット503は、ネットワーク側へ該第一指示情報又は第二指示情報を送信した後に、ネットワーク側からの要求に基づいて、該未報告の失敗に関する情報を送信する。そのうち、該未報告の失敗に関する情報の報告は、上述の任意の方式を採用しても良く、ここではその詳しい説明を省略する。
【００８１】
このような場合、装置500は更に受信ユニット（図示せず）を含んでも良く、それは、ネットワーク側から送信された、失敗に関する情報の報告への要求を受信するために用いられ、その後、報告ユニット503は、該要求に基づいて、該未報告の失敗に関する情報を報告する。
【００８２】
本実施例では、装置500は更に第二情報処理ユニット504を含んでも良く、第二情報処理ユニット504は、失敗に関する情報を成功裏に報告した後に、記憶されている報告済みの失敗に関する情報を削除するために用いられる。このように、装置の記憶空間を節約することができる。
【００８３】
本実施例では、装置500は更に確定ユニット（図示せず）を含み、該確定ユニットは、既に記憶されている失敗に関する情報に、インター無線アクセス技術のネットワークハンドオーバーに関する情報が含まれているかを確定するために用いられ、及び／又は、現在の要記憶の失敗に関する情報に、インター無線アクセス技術のネットワークハンドオーバーに関する情報が存在するかを確定するために用いられ、且つ、該確定ユニットの確定結果が「はい」である時に、第一情報処理ユニット501は、失敗に関する情報を記憶する。このように、該ユーザ装置の記憶空間を節約することができる。
【００８４】
上述の実施例では、ユニット502〜504は選択可能なものである。
【００８５】
上述の実施例から分かるように、記憶されている失敗に関する情報をネットワーク側に報告した後に、ネットワーク側は、報告された情報に基づいてハンドオーバーパラメターの構成を行い、失敗の発生を抑えることができる。
【実施例７】
【００８６】
図6は、本発明の実施例7における情報処理装置の構成を示す図である。図6に示すように、装置600は情報受信ユニット601を含み、情報受信ユニット601は、ユーザ装置により報告された、該ユーザ装置が失敗に関する情報を記憶していることを指示するための指示情報を受信するために用いられ；又は、情報受信ユニット601は更に、ユーザ装置が一回で報告した、一回以上の失敗の失敗に関する情報を受信するために用いられ；又は、受信ユーザ装置により報告された、一回又は所定数回の失敗の失敗に関する情報、及び、該ユーザ装置が未報告の失敗に関する情報を更に有することを指示するための第一指示情報又は第二指示情報を受信するために用いられる。
【００８７】
そのうち、該指示情報が指示する内容は上述の実施例と同様であるため、ここではその詳しい説明を省略する。
【００８８】
本実施例では、情報受信ユニット601を用いて上述の情報を受信することができ、また、複数の受信ユニットを用いてそれぞれ異なる情報を受信することもできる。
【００８９】
本実施例では、情報受信ユニット601が該第一指示情報又は第二指示情報を受信した後に、ネットワーク側は更に、該ユーザ装置に、未報告の失敗に関する情報の報告への要求を送信する。
【００９０】
図6に示すように、装置600は更に情報送信ユニット602を含み、情報送信ユニット602は、該第一指示情報又は第二指示情報を受信した後に、未報告の失敗に関する情報の報告を指示するための要求を送信する。このように、情報受信ユニット601は、ユーザ装置が該要求に基づいて報告した情報を受信することができる。
【００９１】
本実施例では、ユーザ装置により報告された所定数回の失敗に関する情報を受信する時に、装置600は更に構成ユニット（図示せず）を含んでも良く、該構成ユニットは、該ユーザ装置のために該所定数を構成し、ユーザ装置に通知するために用いられる。
【００９２】
上述の実施例から分かるように、ネットワーク側は、ユーザ装置により報告された、毎回の失敗の関連情報を受信することができ、また、該関連情報に基づいてパラメターの構成を行い、失敗の発生を抑えることができる。
【００９３】
本発明の実施例8は更にユーザ装置を提供し、該ユーザ装置は実施例6に記載の装置を含んでも良い。
【００９４】
本発明の実施例9は更に基地局を提供し、該基地局は実施例7に記載の装置を含んでも良い。
【００９５】
本発明の実施例10は更に通信システムを提供し、該通信システムは基地局を含み、そのうち、該通信システムは更にユーザ装置を含み、該ユーザ装置は、失敗の発生を検出した時に、失敗に関する情報を記憶し且つ既に記憶されている失敗に関する情報を保留する。そのうち、該ユーザ装置の構成は実施例8と同様であるため、ここではその詳しい説明を省略する。また、該基地局の構成は実施例9と同様であるため、ここではその詳しい説明も省略する。
【００９６】
例えば、図1に示す通信システムでは、該基地局はインター無線アクセス技術のネットワークの基地局であっても良く、また、該基地局とユーザ装置とのやり取りは実施例3〜5、図2〜4と同様であるため、ここではその詳しい説明を省略する。
【００９７】
本発明の実施例はユーザ装置を提供し、それは、
失敗に関する情報を記憶するための記憶器；及び
ユーザ装置が失敗の発生を検出した時に、該失敗に関する情報を記憶し且つ既に記憶されている失敗に関する情報を保留するように構成される処理器を含む。
【００９８】
また、該処理器は更に、ネットワーク側に指示情報を送信し、及び／又は、ネットワークへ失敗に関する情報を送信するように構成され、そのうち、該指示情報が指示する内容は上述の実施例と同様であるため、ここではその詳しい説明を省略する。
【００９９】
また、該処理器は更に、ネットワーク側へ既に記憶されている失敗に関する情報を報告するために構成される。そのうち、報告の方式は上述と同様であるため、ここではその詳しい説明を省略する。
【０１００】
図7は、本発明のユーザ装置の構成を示す図である。図7に示すように、ユーザ装置は情報処理ユニット703を含み、その構成及び機能は実施例6と同様であるため、ここではその詳しい説明を省略する。
【０１０１】
例えば、該ユーザ装置は移動電話であり、また、該図は例示に過ぎず；移動電話700は更に、他の類型の回路を、処理回路を補充又は代替するように有し、通信機能又は他の機能を実現しても良い。もちろん、移動電話700は、図7に示すような全てのものを含む必要がない。
【０１０２】
図7に示すように、該移動電話700は、主制御回路701、送受信機706、入力ユニット704、音声処理ユニット707、記憶器702、表示器709、及び電源710を含む。主制御回路701は、制御器又は処理コントローラと称される場合もあり、マイクロ処理器又は他の処理器装置及び／又は論理装置を含んでも良く、該主制御回路701は入力を受信し、移動電話700の各部品の操作を制御する。
【０１０３】
そのうち、記憶器702は、例えば、バッファ、フレッシュメモリ、ハードディスクドライブ、移動可能な媒体、揮発性メモリ、不揮発性メモリ、又は、他の適切な装置のうちの一つ又は複数であっても良く、上述の失敗に関する情報を記憶しても良く、また、上述の失敗に関する情報の記憶、指示情報の報告、及び／又は、失敗に関する情報の報告に関するプログラムを記憶しても良い。また、主制御器回路701は、該記憶器702に記憶された該プログラムを実行することで、情報の記憶又は報告を実現することができる。
【０１０４】
他の部品の機能は従来と同様であるため、ここではその詳しい説明を省略する。
【０１０５】
移動電話700の各部品は、専用ハードウェア、ファームウェア、ソフトウェア、又は、それらの組み合わせにより実現されても良く、これらはすべて本発明の範囲に属する。
【０１０６】
本発明の実施例は基地局を提供し、該基地局は、
処理器を含み、該処理器は、ユーザ装置により報告された、前記ユーザ装置が失敗に関する情報を記憶していることを指示するための指示情報を受信し；又は、ユーザ装置が一回で報告した、一回以上の失敗の失敗に関する情報を受信し；又は、ユーザ装置により報告された、一回又は所定数回の失敗の失敗に関する情報、及び、前記ユーザ装置が未報告の前記失敗に関する情報を更に記憶していることを指示するための第一指示情報又は第二指示情報を受信するように構成される。
【０１０７】
また、前記処理器は更に、前記第一指示情報又は第二指示情報を受信した後に、前記ユーザ装置へ、前記ユーザ装置が未報告の前記失敗に関する情報を報告するように指示するための要求を送信するように構成される。
【０１０８】
図8は、本発明の実施例における基地局の構成を示す図である。図8に示すように、基地局800は情報処理ユニット803を含み、その構成及び機能は実施例7と同様である。
【０１０９】
また、更に主制御回路801、記憶器802、送受信機804、及びアンテナ805を含み；そのうち、該記憶器802は、ユーザ装置から受信した失敗に関する情報を記憶しても良く、また、情報処理のプログラムを更に記憶しても良く、且つ、主制御器801の制御の下で該プログラムを実行し、該ユーザ装置が送信した各種の情報を受信し、且つ、ユーザ装置へ要求に関する情報を送信することができる。他の部品の機能は従来技術と同様であるため、ここではその詳しい説明を省略する。
【０１１０】
本発明の実施例は更にコンピュータ可読プログラムを提供し、そのうち、情報処理装置又はユーザ装置中で前記プログラムを実行する時に、前記プログラムは、コンピュータに、前記情報処理装置又はユーザ装置中で実施例1、3〜5に記載の情報処理方法を実行させる。
【０１１１】
本発明の実施例は更にコンピュータ可読プログラムを記憶した記憶媒体を提供し、そのうち、前記コンピュータ可読プログラムは、コンピュータに、情報処理装置又はユーザ装置中で実施例1、3〜5に記載の情報処理方法を実行させる。
【０１１２】
本発明の実施例は更にコンピュータ可読プログラムを提供し、そのうち、情報処理装置又は基地局中で前記プログラムを実行する時に、前記プログラムは、コンピュータに、前記情報処理装置又は基地局中で実施例2、3〜5に記載の情報処理方法を実行させる。
【０１１３】
本発明の実施例は更にコンピュータ可読プログラムを記憶した記憶媒体を提供し、そのうち、前記コンピュータ可読プログラムは、コンピュータに、情報処理装置又は基地局中で実施例2、3〜5に記載の情報処理方法を実行させる。
【０１１４】
本発明の以上の装置及び方法は、ハードウェアにより実現されても良く、ハードウェアとソフトウェアとの組み合わせにより実現されても良い。本発明は更に下記のようなコンピュータ読み取り可能なプログラムに関し、即ち、該プログラムは、ロジック部品により実行される時に、該ロジック部品に、上述の装置又は構成部品を実現させ、又は、該ロジック部品に、上述の各種の方法又はステップを実現させる。ロジック部品は、例えば、FPGA（Field  Programmable  Gate  Array）、マイクロプロセッサー、コンピュータに用いる処理器などであっても良い。本発明は更に、上述のプログラムを記憶した記憶媒体、例えば、ハードディスク、磁気ディスク、光ハードディスク、DVD、flashメモリなどにも関する。
【０１１５】
以上、本発明の好ましい実施形態を説明したが、本発明はこのような実施形態に限定されず、本発明の趣旨を離脱しない限り、本発明に対するあらゆる変更は本発明の技術的範囲に属する。
【図１】
2016530785.tif 000003
【図２】
2016530785.tif 000004
【図３】
2016530785.tif 000005
【図４】
2016530785.tif 000006
【図５】
2016530785.tif 000007
【図６】
2016530785.tif 000008
【図７】
2016530785.tif 000009
【図８】
2016530785.tif 000010
【手続補正書】
【提出日】平成28年5月19日(2016.5.19)
【手続補正１】
【補正対象書類名】特許請求の範囲
【補正対象項目名】全文
【補正方法】変更
【補正の内容】
【特許請求の範囲】
【請求項１】
情報処理方法であって、
失敗に関する情報を、記憶されている前記失敗に関する情報がインター無線アクセス技術（inter-RAT）ハンドオーバーに関する情報を含むと確定された時に、及び／又は、現在の記憶する必要がある前記失敗に関連する情報がinter-RATハンドオーバーに関する情報を含むと確定された時に、記憶することを含む、方法。
【請求項２】
請求項１に記載の方法であって、
前記失敗に関する情報は、前記失敗の発生時のサービングセル及び隣接セルの測定結果、ユーザ装置が使用する識別子、及び前記失敗の発生原因のうちの一つ又は複数を含む、方法。
【請求項３】
請求項１に記載の方法であって、
前記失敗に関する情報は前記inter-RATハンドオーバーの関連情報を更に含み、前記関連情報は、前記ユーザ装置が前記失敗の発生前に所在するセルの情報、及び／又は、前記ユーザ装置がネットワークに再接続できた時に所在するセルの情報を含む、方法。
【請求項４】
請求項１に記載の方法であって、
前記ユーザ装置がネットワークに再接続できた時に、ネットワーク側に指示情報を送信することを更に含み、
前記指示情報は、前記ユーザ装置が前記失敗に関する情報を記憶していることを指示し、そのうち、前記ユーザ装置が一回以上の失敗の前記失敗に関する情報を記憶していることが指示され；又は、前記ユーザ装置が記憶している前記失敗に関する情報の数量、及び、前記数量が1よりも大きいことが指示され；又は、前記ユーザ装置が前記inter-RATハンドオーバーの関連情報を記憶していることが指示される、方法。
【請求項５】
請求項１に記載の方法であって、
ネットワーク側に前記失敗に関する情報を報告することを更に含み、
前記ユーザ装置は、一回で全ての前記失敗に関する情報を報告し；又は、
前記ユーザ装置は、前記失敗に関する情報を逐一報告し、そのうち、毎回前記失敗に関する情報を報告する時に、未報告の前記失敗に関する情報が依然として存在すれば、前記ユーザ装置が未報告の前記失敗に関する情報を更に記憶することを指示するための第一指示情報を前記ネットワーク側に報告し；又は、
前記ユーザ装置は、所定数量に基づいて前記失敗に関する情報を報告し、そのうち、前記所定数量の前記失敗に関する情報を報告する時に、未報告の前記失敗に関する情報が依然として存在すれば、前記ユーザ装置が未報告の前記失敗に関する情報を更に記憶することを指示するための第二指示情報を前記ネットワーク側に報告する、方法。
【請求項６】
請求項５に記載の方法であって、
前記ネットワーク側に前記第一指示情報又は前記第二指示情報を送信した後に、
前記ネットワーク側からの要求に基づいて未報告の前記失敗に関する情報を送信することを更に含む、方法。
【請求項７】
請求項５に記載の方法であって、
報告済みの前記失敗に関する情報を削除することを更に含む、方法。
【請求項８】
情報処理装置であって、
確定ユニットを含み、
前記確定ユニットは、記憶されている失敗に関する情報がインター無線アクセス技術（inter-RAT）ハンドオーバーに関する情報を含むかを確定し、及び／又は、現在の記憶する必要がある失敗に関する情報がinter-RATハンドオーバーの関連情報を含むかを確定するために構成され、
前記確定ユニットの確定結果が「はい」である時に、第一情報処理ユニットは、前記失敗に関する情報を記憶する、装置。
【請求項９】
請求項８に記載の装置であって、
第一送信ユニットを更に含み、前記第一送信ユニットは、ユーザ装置がネットワークに再接続できた時に、ネットワーク側に指示情報を送信するために構成され、
前記指示情報は、前記ユーザ装置が一回以上の失敗の前記失敗に関する情報を記憶していることを指示するために用いられ；又は、前記ユーザ装置が記憶している前記失敗に関する情報の数量、及び、前記数量が1よりも大きいことを指示するために用いられ；又は、前記ユーザ装置がinter-RATハンドオーバーの関連情報を記憶していることを指示するために用いられる、装置。
【請求項１０】
請求項８に記載の装置であって、
前記ネットワーク側に前記失敗に関する情報を報告するための報告ユニットを更に含み、
前記報告ユニットは、一回で全ての前記失敗に関する情報を報告し；又は、
前記失敗に関する情報を逐一報告し、そのうち、毎回前記失敗に関する情報を報告する時に、未報告の前記失敗に関する情報が依然として存在すれば、前記ユーザ装置が未報告の前記失敗に関する情報を更に記憶することを指示するための第一指示情報を前記ネットワーク側に報告し；又は、
所定数量に基づいて前記失敗に関する情報を報告し、そのうち、前記所定数量の前記失敗に関する情報を報告する時に、未報告の前記失敗に関する情報が依然として存在すれば、前記ユーザ装置が未報告の前記失敗に関する情報を更に記憶することを指示するための第二指示情報を前記ネットワーク側に報告する、装置。
【請求項１１】
請求項１０に記載の装置であって、
前記報告ユニットは、前記ネットワーク側に前記第一指示情報又は前記第二指示情報を送信した後に、前記ネットワーク側からの要求に基づいて未報告の前記失敗に関する情報を送信する、装置。
【請求項１２】
請求項１０に記載の装置であって、
報告済みの前記失敗に関する情報を削除するための第二情報処理ユニットを更に含む、装置。
【請求項１３】
情報処理装置であって、
情報受信ユニットを含み、前記情報受信ユニットは、
ユーザ装置が報告した、前記ユーザ装置が失敗に関する情報を記憶していることを指示するための指示情報を受信し、そのうち、前記指示情報は、前記ユーザ装置が一回以上の失敗の前記失敗に関する情報を記憶していることを指示するために用いられ；又は、前記ユーザ装置が記憶している前記失敗に関する情報の数量、及び、前記数量が1よりも大きいことを指示するために用いられ；又は、前記ユーザ装置がinter-RATハンドオーバーの関連情報を記憶していることを指示するために用いられ；又は、
ユーザ装置が一回で報告した一回以上の失敗の失敗に関する情報を受信し；又は、
ユーザ装置が報告した一回又は所定数回の失敗の失敗に関する情報、及び、前記ユーザ装置が未報告の前記失敗に関する情報を更に記憶することを指示するための第一指示情報又は第二指示情報を受信するように構成される、装置。
【請求項１４】
請求項１３に記載の装置であって、
前記第一指示情報又は前記第二指示情報を受信した後に、前記ユーザ装置へ前記ユーザ装置が未報告の前記失敗に関する情報を報告するように指示するための要求を送信するための情報送信ユニットを更に含む、装置。
【請求項１５】
基地局を含むネットワークシステムであって、
ユーザ装置を更に含み、前記ユーザ装置は、
失敗に関する情報を、記憶されている前記失敗に関連する情報がインター無線アクセス技術（inter-RAT）ハンドオーバーに関する情報を含むと確定された時に、及び／又は、現在の記憶する必要がある前記失敗に関連する情報がinter-RATハンドオーバーに関する情報を含むと確定された時に、記憶するように構成される、ネットワークシステム。
【国際調査報告】
2016530785.tif 000011
2016530785.tif 000012
2016530785.tif 000013
2016530785.tif 000014